(57)【要約】      （修正有）【課題】除霜運転を適切に行うことができる冷蔵庫を提供する。【解決手段】冷凍サイクル、蒸発器温度センサ及び除霜手段を制御する制御部２３が、第１除霜開始条件を満たすと蒸発器１０に付着した霜を除去する除霜運転を開始する冷蔵庫１において、蒸発器温度センサの検出温度が所定温度以下である時間の積算時間が所定時間以上になること、扉センサ９が検出した扉３ａの開閉回数が所定回数以上になること、または扉センサ９が検出した扉３ａの開放時間の積算時間が所定時間以上になることを第１除霜開始条件とする。【選択図】図１
2020122607.tif 000002
【特許請求の範囲】
【請求項１】
貯蔵室を内部に有する冷蔵庫本体と、
圧縮機と、前記圧縮機から吐出される冷媒が供給され前記貯蔵室を冷却する蒸発器と、を有する冷凍サイクルと、
前記蒸発器の温度を検出する蒸発器温度センサと、
前記蒸発器に付着した霜を除去する除霜運転を実行する除霜手段と、
前記冷凍サイクル、前記蒸発器温度センサ及び前記除霜手段を制御する制御部とを備え、
前記制御部は、第１除霜開始条件を満たすと前記除霜運転を開始する冷蔵庫において、
前記第１除霜開始条件が、前記蒸発器温度センサの検出温度が所定温度以下である時間の積算時間が所定時間以上になることである冷蔵庫。
【請求項２】
貯蔵室を内部に有する冷蔵庫本体と、
前記貯蔵室の開口部を開閉する扉と、
圧縮機と、前記圧縮機から吐出される冷媒が供給され前記貯蔵室を冷却する蒸発器と、を有する冷凍サイクルと、
前記扉の開閉を検出する扉センサと、
前記蒸発器に付着した霜を除去する除霜運転を実行する除霜手段と、
前記冷凍サイクル、前記扉センサ及び前記除霜手段を制御する制御部とを備え、
前記制御部は、第１除霜開始条件を満たすと前記除霜運転を開始する冷蔵庫において、
前記第１除霜開始条件が、前記扉センサが検出した前記扉の開閉回数が所定回数以上になること、または前記扉センサが検出した前記扉の開放時間の積算時間が所定時間以上になることである冷蔵庫。
【請求項３】
前記蒸発器で冷却された空気を前記貯蔵室へ送風する蒸発器ファンを備え、
前記除霜手段は、前記蒸発器への冷媒の供給を低減しつつ、前記蒸発器ファンを駆動して前記蒸発器に付着した霜を融解する請求項１又は２に記載の冷蔵庫。
【請求項４】
前記制御部は、
前記第１除霜開始条件と異なる条件からなる第２除霜開始条件を満たすと前記除霜運転を開始し、
前記第１除霜開始条件を満たして前記除霜運転を開始した場合と、前記第２除霜開始条件を満たして前記除霜運転を開始した場合とで、前記除霜運転を終了する条件が異なる
請求項１〜３のいずれか１項に記載の冷蔵庫。
【請求項５】
前記制御部は、
前記貯蔵室内を冷却する通常冷却運転と、
前記通常冷却運転より低温に前記貯蔵室内を冷却する低温冷却運転と、
が実行可能であり、
低温冷却実施条件を満たすと、前記通常冷却運転に代えて前記低温冷却運転を実行する低温モードを設定し、
前記低温モードの設定中に前記除霜運転を開始した場合と、前記低温モードが設定されていない時に前記除霜運転を開始した場合とで、前記除霜運転を終了する条件が異なる
請求項１〜４のいずれか１項に記載の冷蔵庫。
【請求項６】
前記制御部は、
前記除霜運転を終了させる所定の条件である除霜終了条件と、
前記除霜運転の実行中に冷却開始条件を満たすと前記除霜運転を終了して前記蒸発器に冷媒を供給して前記貯蔵室を冷却する冷却優先条件と、
前記除霜運転の実行中に冷却開始条件を満たしても前記除霜終了条件を満たすまで前記除霜運転を実行し、前記除霜終了条件を満たしてから前記蒸発器に冷媒を供給して前記貯蔵室を冷却する除霜優先条件と、
が選択可能であり、
前記低温モードが設定されていない時に前記除霜運転を開始した場合、前記冷却優先条件と前記除霜優先条件とを切り換えて採用し、
前記低温モードの設定中に前記除霜運転を開始した場合、前記低温モードが設定されていない時に前記除霜優先条件から前記冷却優先条件へ切り換えるタイミングであっても、前記低温モードの設定中は除霜優先条件を維持する
請求項５に記載の冷蔵庫。
【請求項７】
前記貯蔵室は、第１貯蔵室と、前記第１貯蔵室より低温に冷却される第２貯蔵室と、を備え、
前記蒸発器は、前記第１貯蔵室を冷却する第１蒸発器と、前記第２貯蔵室を冷却する第２蒸発器と、を備え、
前記第１蒸発器で冷却された空気を前記第１貯蔵室へ送風する第１蒸発器ファンと、前記第２蒸発器を加熱する除霜ヒータと、を備え、
前記除霜運転は、前記第１蒸発器への冷媒の供給を低減しつつ、前記第１蒸発器ファンを駆動して前記第１蒸発器に付着した霜を融解する第１除霜運転と、前記除霜ヒータを通電して前記第２蒸発器に付着した霜を融解する第２除霜運転と、を備え、
前記制御部は、前記第２除霜運転の実行中に前記第１除霜運転を実行する
請求項１〜６のいずれか１項に記載の冷蔵庫。
【請求項８】
前記制御部は、
前記第１除霜開始条件を満たすと前記第１除霜運転及び前記第２除霜運転を開始し、少なくとも前記第２除霜運転が終了するまで前記第１除霜運転を実行する
請求項７に記載の冷蔵庫。
【請求項９】
前記制御部は、
前記除霜運転を終了させる所定の条件である除霜終了条件を備え、
前記第２除霜運転の終了後に前記除霜終了条件を満たすと前記第１除霜運転を終了する
請求項８に記載の冷蔵庫。
【請求項１０】
前記制御部は、
前記除霜運転を終了させる所定の条件である除霜終了条件を備え、
前記第１除霜開始条件と異なる条件からなる第２除霜開始条件を満たすと前記第１除霜運転及び前記第２除霜運転を開始し、前記第１除霜運転の開始後に前記除霜終了条件を満たすと前記第１除霜運転を終了する
請求項７〜９のいずれか１項に記載の冷蔵庫。
【発明の詳細な説明】
【技術分野】
【０００１】
本発明の実施形態は、冷蔵庫に関するものである。
【背景技術】
【０００２】
従来の冷蔵庫では、冷凍サイクルを構成している蒸発器が低温になると、蒸発器の外面に霜が付着する。蒸発器に霜が付着（着霜）すると蒸発器の冷却能力が低下することが知られている。したがって蒸発器の霜が付着するのを防止したり、蒸発器に付着した霜を除去（除霜）することが、冷蔵庫の性能向上に重要である。このため、ヒータによって蒸発器を加熱したり、ファンによって氷点より高い温度の空気を蒸発器へ送風することで、蒸発器の着霜を防止したり、除霜が行われている。
【先行技術文献】
【特許文献】
【０００３】
【特許文献１】特開２０１１−２１４１号公報
【発明の概要】
【発明が解決しようとする課題】
【０００４】
しかしながら、除霜は貯蔵室の冷却運転を中断して行われるため、過度に除霜運転を行うと除霜運転に伴い貯蔵室を適切に冷却することができない。そこで、除霜運転を適切に行うことができる冷蔵庫を提供することを目的とする。
【課題を解決するための手段】
【０００５】
一実施形態の冷蔵庫は、貯蔵室を内部に有する冷蔵庫本体と、圧縮機と、前記圧縮機から吐出される冷媒が供給され前記貯蔵室を冷却する蒸発器とを有する冷凍サイクルと、前記蒸発器の温度を検出する蒸発器温度センサと、前記蒸発器に付着した霜を融解する除霜運転を実行する除霜手段と、前記冷凍サイクル、前記蒸発器温度センサ及び前記除霜手段を制御する制御部とを備え、前記制御部は、第１除霜開始条件を満たすと前記除霜運転を開始する冷蔵庫において、前記第１除霜開始条件が、前記蒸発器温度センサの検出温度が所定温度以下である時間の積算時間が所定時間以上になることである冷蔵庫である。
【０００６】
他の実施形態の冷蔵庫は、貯蔵室を内部に有する冷蔵庫本体と、前記貯蔵室の開口部を開閉する扉と、圧縮機と、前記圧縮機から吐出される冷媒が供給され前記貯蔵室を冷却する蒸発器とを有する冷凍サイクルと、前記扉の開閉を検出する扉センサと、前記蒸発器に付着した霜を融解する除霜運転を実行する除霜手段と、前記冷凍サイクル、前記扉センサ及び前記除霜手段を制御する制御部とを備え、前記制御部は、第１除霜開始条件を満たすと前記除霜運転を開始する冷蔵庫において、前記第１除霜開始条件が、前記扉センサが検出した前記扉の開閉回数が所定回数以上になること、または前記扉センサが検出した前記扉の開放時間の積算時間が所定時間以上になることである冷蔵庫である。
【図面の簡単な説明】
【０００７】
【図１】本発明の第１実施形態の冷蔵庫の概略構成を示す縦断面図
【図２】本発明の第１実施形態の冷蔵庫における冷凍サイクル装置を示す模式図
【図３】本発明の第１実施形態の冷蔵庫の電気的構成を示すブロック図
【図４】本発明の第１実施形態の冷蔵庫における冷却運転及び除霜運転を示すタイミングチャート
【図５】第１除霜開始条件を満たして第１除霜運転を開始してから終了するまでの制御を示すフロー図
【図６】冷却優先条件における制御を示すフロー図
【図７】本発明の第２実施形態の冷蔵庫における冷却運転及び除霜運転を示すタイミングチャート
【発明を実施するための形態】
【０００８】
（第１実施形態）
以下、本発明の第１実施形態の冷蔵庫１について図面に基づき説明する。
【０００９】
（１）冷蔵庫１の構成
図１に示すように、冷蔵庫１は、前面に開口する断熱箱体からなる冷蔵庫本体２を備える。冷蔵庫本体２は鋼板製の外箱２ａと真空成形により設けられる合成樹脂製の内箱２ｂとの間隙に真空断熱パネルやウレタンフォームなどの断熱材２ｃを配置し、前面を開口し内部を貯蔵空間とした縦長の断熱箱体からなる。冷蔵庫本体２の内部に形成された貯蔵空間は、断熱仕切壁によって上方の冷蔵空間と下方の冷凍空間に断熱区画されている。
【００１０】
単一の内箱２ｂで形成された冷蔵空間には、複数の載置棚を設けた冷蔵室３と貯蔵容器である下部ケースと上部ケースを備えた野菜室４とを隣接状態で上下に区分配置している。
【００１１】
冷蔵室３及び野菜室４は、冷蔵温度帯（例えば、０〜４℃）に冷却される貯蔵室である。冷蔵室３の前面開口部は、該開口部を幅方向に区分する観音開き式の左右一対の断熱性の冷蔵室扉３ａにより閉塞される。この冷蔵室扉３ａは、冷蔵庫本体の左右両側に設けたヒンジにより回動自在に枢支されている。冷蔵室扉３ａの前面には、使用者から冷蔵庫１の設定等を受け付けたり、冷蔵庫１の設定状況等を表示する操作表示部７と、冷蔵庫１の周囲の外気温を検出する外気温センサ８が設けられている。
【００１２】
冷蔵室３の内部は、複数の棚板３ｂによって上下に複数段に区画されている。最下段の棚板３ｂの下方空間は、引出容器を収納するチルド室３ｃが設けられており、冷蔵室３内に設けられた小貯蔵室を構成する。
【００１３】
冷蔵室３の背面には、冷蔵室３の庫内温度を測定するための冷蔵温度センサ２４が設けられている。また、冷蔵室３の前面開口部の周縁部には、冷蔵室扉３ａの開閉を検知する扉センサ９が設けられている。
【００１４】
野菜室４の前面開口部には、引出し式の断熱性の野菜扉４ａが設けられている。この野菜扉４ａの背面部には、貯蔵容器を構成する上下２段の収納ケースが連結されている。
【００１５】
断熱仕切壁の下方の冷凍空間は、冷凍温度帯（例えば、−１８℃〜−２０℃）に冷却保持される空間であり、製氷室５、小冷凍室と、主冷凍室６とを備える。製氷室５及び小冷凍室は、断熱壁を介して野菜室４の下方に左右に並べて設けられている。製氷室５及び小冷凍室の下方には、下部ケースと上部ケースを備えた主冷凍室６が配置されている。
【００１６】
製氷室５、小冷凍室及び主冷凍室６は、貯蔵容器を引き出し式の扉５ａ、６ａに連結保持し、貯蔵室内に設けたレール機構により引き出し式で閉塞されている。
【００１７】
また、主冷凍室６の背面には、主冷凍室６の庫内温度を測定するための冷凍温度センサ２６が設けられている。
【００１８】
冷蔵室３と野菜室４に跨る冷蔵空間の背部には、冷気ダクト１２と蒸発器カバー１３と送風機カバー１４によって冷蔵室３及び野菜室４と区画された冷蔵蒸発器空間Ｓｒが設けられている。この冷蔵蒸発器空間には、冷蔵蒸発器１０と冷蔵ファン１１が配設されている。冷蔵ファン１１は、冷蔵蒸発器１０で冷却した冷蔵蒸発器空間Ｓｒ内の空気を冷気ダクト１２を介して冷蔵室３及び野菜室４に供給することで、冷蔵室３及び野菜室４を冷却する。
【００１９】
冷凍温度帯の貯蔵室（製氷室５、小冷凍室、主冷凍室６）の背部には、冷気ダクトを形成するカバー体１７によって冷凍温度帯の貯蔵室と区画された冷凍蒸発器空間Ｓｆが設けられている。
【００２０】
冷凍蒸発器空間Ｓｆの内部には、冷蔵蒸発器１０より低い温度に冷却される冷凍蒸発器１５と冷凍ファン１６が設けられている。冷凍蒸発器空間Ｓｆに設けられた冷凍ファン１６は、冷凍蒸発器１５で冷却した冷凍蒸発器空間Ｓｆ内の空気をダクトを介して製氷室５、小冷凍室及び主冷凍室６に供給することで、製氷室５、小冷凍室及び主冷凍室６を冷却する。
【００２１】
また、冷凍蒸発器空間Ｓｆには、冷凍蒸発器１５の下方に除霜ヒータ１８と除霜水を受ける排水樋（不図示）が配設される。冷凍蒸発器１５の除霜は、除霜ヒータ１８による輻射熱で冷凍蒸発器１５を加熱することで行う。この時、融解した除霜水は排水樋により、外部に排出される。
【００２２】
冷蔵庫本体２の背面下部の外側には内方に凹陥する機械室１９が形成されている。この機械室１９には、冷凍サイクル装置の一環をなす圧縮機２０、凝縮器２１、冷却ファン（不図示）、除霜水を蒸発させる蒸発皿２２を配設している。
【００２３】
また、冷蔵庫本体２の外側、例えば、冷蔵庫本体２の天井壁の上面後部には、冷蔵庫１を制御するマイコン等を実装した制御基板からなる制御部２３が設けられている。
【００２４】
（２）冷凍サイクル
次に、冷蔵庫１の冷凍サイクルについて図２を参照して説明する。冷凍サイクルは、高温高圧の冷媒ガスを吐出する圧縮機２０と、該圧縮機２０から吐出される冷媒ガスを受けて放熱液化する凝縮器２１と、該凝縮器２１の出口側に放熱パイプ２８を介して接続され冷媒流路を切り替える切替弁２９と、冷蔵蒸発器１０及び冷凍蒸発器１５と、これらの蒸発器１０，１５にそれぞれ設けられた冷蔵減圧装置３０及び冷凍減圧装置３１とを備え、これらを配管で接続して構成されている。
【００２５】
詳細には、圧縮機２０は、インバータ制御によって運転周波数（１秒間当りの回転数）を変えることにより単位時間当たりに吐出する冷媒量を変更できる能力可変型の圧縮機であり、高温、高圧の気体状の冷媒を送り出す。
【００２６】
圧縮機２０の吐出側には、凝縮器２１と放熱パイプ２８と切替弁２９の入口側が直列に接続されている。切替弁２９の一方の出口には、冷蔵減圧装置３０と冷蔵蒸発器１０とを直列に連結した冷蔵冷媒流路が接続されている。切替弁２９の他方の出口には、冷凍減圧装置３１と冷凍蒸発器１５とを直列に連結した冷凍冷媒流路が冷蔵冷媒流路と並列に接続されている。そして、冷蔵蒸発器１０の出口側に接続された配管と冷凍蒸発器１５の出口側に接続された配管とが合流し、圧縮機２０の吸込側に接続され冷媒回路が構成されている。
【００２７】
冷蔵蒸発器１０には、冷蔵蒸発器１０の温度を検出する冷蔵蒸発器温度センサ３６が設けられ、冷凍蒸発器１５には、冷凍蒸発器１５の温度を検出する冷凍蒸発器温度センサ３７が設けられている（図２参照）。
【００２８】
このような冷凍サイクル装置では、サイクル内に封入された冷媒が、圧縮機２０で圧縮されて高温高圧の気体状の冷媒に変化し、放熱しながら凝縮器２１及び放熱パイプ２８を流れる。
【００２９】
放熱パイプ２８を流れた液体状の冷媒は、機械室１９に位置する切替弁２９に導かれ、制御部２３の指令に基づき、切替弁２９によって冷蔵減圧装置３０と冷凍減圧装置３１に切り替えて供給され、各減圧装置３０、３１で気化し易いように減圧される。減圧装置３０、３１を通過することで減圧され液状となった冷媒は、冷蔵蒸発器１０又は冷凍蒸発器１５で気化し、周囲から熱を奪うことにより冷蔵蒸発器１０及び冷凍蒸発器１５を低温化し、冷気を生成して貯蔵空間を冷却する。蒸発器１０，１５を通過したガス冷媒は、サクションパイプ３２を通って再び圧縮機２０に吸入され、一連の冷凍サイクルが繰り返される。
【００３０】
（３）冷蔵庫１の電気的構成
冷蔵庫本体２の上部に設けられた制御部２３には、図３に示すように、操作表示部７、外気温センサ８、扉センサ９、冷蔵ファン１１、冷凍ファン１６、除霜ヒータ１８、圧縮機２０、冷蔵温度センサ２４、冷凍温度センサ２６、切替弁２９、冷蔵蒸発器温度センサ３６、冷凍蒸発器温度センサ３７等の冷蔵庫本体２の内側又は外側に設けられた電気部品が電気接続されている。
【００３１】
そして、制御部２３は、各種センサから入力される信号や、使用者の操作によって操作表示部７から入力される信号などが入力されると、予めメモリに記憶された制御プログラムに基づいて、冷蔵ファン１１、冷凍ファン１６、除霜ヒータ１８、圧縮機２０及び切替弁２９の動作を制御することで、圧縮機２０や冷蔵ファン１１及び冷凍ファン１６の運転、除霜ヒータ１８の電源のオンオフや、切替弁２９による冷蔵蒸発器１０と冷凍蒸発器１５への冷媒切換え、操作表示部７の表示など、冷蔵庫１の動作全般を制御する。
【００３２】
（４）冷蔵庫１の冷却運転
冷蔵庫１では、冷蔵温度センサ２４及び冷凍温度センサ２６によって検出された冷蔵空間の庫内温度及び冷凍空間の庫内温度に基づいて、冷蔵温度帯の冷蔵室３、野菜室４を冷却する冷蔵冷却運転と、冷凍温度帯の製氷室５、小冷凍室、主冷凍室６を冷却する冷凍運転とを切り替えて実行する。
【００３３】
ここでは冷蔵庫１が実行する冷却運転の一例として、図４に示すような場合、つまり、冷蔵冷却運転、冷凍冷却運転、冷媒回収運転をこの順番で順次実行し、冷媒回収運転の終了後、再び、冷蔵冷却運転、冷凍冷却運転、冷媒回収運転を順次実行するように、各運転を繰り返し実行する場合について説明する。
【００３４】
なお、本実施形態の冷蔵庫１では、圧縮機２０を常時駆動して、冷凍冷却運転、冷媒回収運転、冷蔵冷却運転及び低温冷却運転のいずれかの運転を常時実行することが原則であるが、冷蔵空間及び冷凍空間の温度が双方ともＯＦＦ温度Ｔｒ２、Ｔｆ２以下であり、ＰＩＤ計算がある一定値以下になったときに圧縮機２０を停止してもよい。
【００３５】
（４−１）冷蔵冷却運転
制御部２３は、冷蔵冷却開始条件を満たすと、圧縮機２０を所定周波数で駆動しつつ切替弁２９の冷蔵冷媒流路側の出口を開放して冷蔵蒸発器１０に冷媒を流し、さらに冷蔵ファン１１を回転させて冷蔵冷却運転を開始する。冷蔵冷却開始条件の一例を挙げると、例えば、冷蔵温度センサ２４の検出温度が冷蔵空間に対して設定されているＯＮ温度Ｔｒ１（例えば、５℃）以上になる場合がある。
【００３６】
冷蔵冷却運転では、冷蔵蒸発器１０に流れ込んだ低圧、低温の冷媒が気化することで冷蔵蒸発器空間Ｓｒで冷気を生成する。生成した冷気は、冷蔵ファン１１の送風作用により冷蔵室３及び野菜室４内を循環し、所定の冷蔵温度帯になるように冷蔵室３及び野菜室４を冷却する。
【００３７】
冷蔵室３及び野菜室４内を循環した冷気は、冷蔵室３及び野菜室４の背面に設けられた吸込口から冷蔵蒸発器空間Ｓｒに戻り、冷蔵蒸発器１０により冷却され、その後、再び冷蔵室３及び野菜室４へ送風される。
【００３８】
そして、冷蔵冷却運転の実行中に冷蔵冷却終了条件が満たされると、制御部２３は、冷蔵冷却運転を終了する。冷蔵冷却終了条件の一例を挙げると、例えば、（１）冷蔵温度センサ２４の検出温度が冷蔵空間に対して設定されているＯＦＦ温度Ｔｒ２（例えば、２℃）に達した時、（２）冷蔵冷却運転を開始してから最長冷却時間（例えば、４０分間）以上が経過した時、（３）冷凍温度センサ２６の検出温度が冷凍空間に対して設定されているＯＮ温度Ｔｆ１（例えば、−１８℃）以上になった時、のいずれかの場合がある。
【００３９】
そして、冷蔵冷却運転を終了すると、制御部２３は、圧縮機２０を所定周波数で駆動しつつ切替弁２９の冷凍冷媒流路側の出口を開放して冷凍蒸発器１５に冷媒を流し、さらに冷凍ファン１６を回転させて冷凍冷却運転を開始する。
【００４０】
（４−２）冷凍冷却運転
冷凍冷却運転では、冷凍蒸発器１５に流れ込んだ低圧、低温の冷媒が気化することで冷凍蒸発器空間Ｓｆで冷気を生成する。生成された冷気は、冷凍ファン１６の送風作用により製氷室５、小冷凍室及び主冷凍室６内を循環し、所定の冷凍温度帯になるように製氷室５、小冷凍室及び主冷凍室６を冷却する。
【００４１】
製氷室５、小冷凍室及び主冷凍室６内を循環した冷気は、主冷凍室６の背面に設けられた吸込口から冷凍蒸発器空間Ｓｆに戻り、冷凍蒸発器１５により冷却され、その後、再び製氷室５、小冷凍室及び主冷凍室６へ送風される。
【００４２】
そして、冷凍冷却運転の実行中に冷凍冷却終了条件が満たされると、制御部２３は、冷凍冷却運転を終了する。冷凍冷却終了条件の一例を挙げると、例えば、（１）冷凍温度センサ２６の検出温度が冷凍空間に対して設定されているＯＦＦ温度Ｔｆ２（例えば、−２１℃）に達した時、（２）冷凍運転を開始してから最長冷却時間（例えば、９０分間）以上が経過した時、（３）冷蔵温度センサ２４の検出温度が冷蔵空間に対して設定されているＯＮ温度Ｔｒ１（例えば、５℃）以上になった時、のいずれかの場合がある。
【００４３】
（４−３）冷媒回収運転
冷凍冷却運転を終了すると、制御部２３は、冷媒回収運転を開始する。冷媒回収運転では、制御部２３が、切替弁２９の冷蔵冷媒流路側及び冷凍冷媒流路側の出口をいずれも閉止（全閉）し、冷蔵蒸発器１０及び冷凍蒸発器１５への冷媒供給を遮断した状態で、圧縮機２０を駆動することで、冷凍蒸発器１５から圧縮機２０へ冷媒を回収する。また、制御部２３は、冷媒回収運転において、冷蔵ファン１１及び冷凍ファン１６を停止させる。
【００４４】
そして、制御部２３は、冷媒回収運転を開始してから所定時間（例えば、１分間）経過すると、冷媒回収運転を終了する。冷媒回収運転を終了すると、制御部２３は、再び、冷蔵冷却運転、冷凍冷却運転、冷媒回収運転を順次実行する。
【００４５】
（４−４）低温冷却運転
また、冷蔵庫１では、所定の低温冷却実施条件を満たすと、制御部２３が低温モードを設定し、上記の冷蔵冷却運転に代えて、冷蔵室３内に設けられたチルド室３ｃを通常の冷蔵冷却運転より低温に冷却する低温冷却運転を実行する。低温冷却実施条件の一例を挙げると、例えば、使用者が操作表示部７から所定操作を行って低温冷却運転を指示した時がある。
【００４６】
低温冷却運転を実行する場合、制御部２３は、圧縮機２０を所定の周波数で動作させつつ、切替弁２９の冷蔵冷媒流路側の出口を開放して冷蔵蒸発器１０に冷媒を流し、さらに冷蔵ファン１１を回転させる。その際、制御部２３は、冷蔵冷却運転に比べて、圧縮機２０の運転周波数を大きく設定するとともに、冷蔵ファン１１の回転数を小さく設定する。
【００４７】
これらの制御の結果、冷蔵蒸発器１０は、流れ込んだ冷媒が気化することで冷蔵蒸発器空間Ｓｒの空気を冷却して冷蔵蒸発器空間Ｓｒで冷気を生成し、生成した冷気を冷蔵室３及び野菜室４へ供給する。低温冷却運転では、冷蔵冷却運転より圧縮機２０の運転周波数が大きく設定され、かつ、冷蔵冷却運転より冷蔵ファン１１の回転数を小さく設定されているため、冷蔵蒸発器１０の冷却能力が高くなり通常の冷蔵冷却運転より低温（例えば、冷蔵冷却運転より約１〜５℃低い温度）の冷気が生成されるとともに、冷蔵蒸発器１０で生成された空気の拡散が抑えられる。その結果、冷蔵冷却運転において生成される冷気より低温の冷気を冷蔵室３の下方に設けられたチルド室３ｃに集中させて、冷蔵冷却運転より低温にチルド室３ｃを冷却する。
【００４８】
低温冷却運転において冷蔵室３及び野菜室４内を循環した冷気は、冷蔵冷却運転と同様、冷蔵室３及び野菜室４の背面に設けられた吸込口から冷蔵蒸発器空間Ｓｒに戻り、冷蔵蒸発器１０により冷却され、その後、再び冷蔵室３及び野菜室４へ送風される。
【００４９】
上記した低温冷却運転を実施する低温モードは、所定の低温冷却解除条件を満たすまで実施される。つまり、低温冷却実施条件が設定されてから低温冷却解除条件を満たすまでの間、低温冷却運転、冷凍冷却運転及び冷媒回収運転をこの順序で繰り返し実行する。そして、低温冷却解除条件を満たすと、低温冷却運転に代えて通常の冷蔵冷却運転を実行するようになり、冷蔵冷却運転、冷凍冷却運転及び冷媒回収運転を順次実行するようにこれらの運転を繰り返し実行する。
【００５０】
低温冷却終了条件の一例を挙げると、例えば、使用者が操作表示部７から所定操作を行って低温冷却運転の終了を指示した時がある。
【００５１】
（５）除霜運転
冷蔵庫１では、冷蔵冷却運転、冷凍冷却運転及び冷媒回収運転を切り替えて順次実行する中で、所定の除霜開始条件を満たすと、第１除霜運転と第２除霜運転を実行する。
【００５２】
なお、第１除霜運転や第２除霜運転を開始するタイミングは、所定の除霜開始条件を満たした後に実行中の運転が完了してから次の運転へ切り換える前に第１除霜運転及び第２除霜運転を実行してもよく、あるいは除霜開始条件を満たすと実行中の運転を中止して直ちに第１除霜運転及び第２除霜運転を実行してもよい。
【００５３】
（５−１）第１除霜運転
第１除霜運転は、冷蔵蒸発器１０に付着した霜を融解により除去するとともに、融解した霜の水分を冷蔵空間へ供給することで、冷蔵空間を加湿する運転である。具体的には、制御部２３が、切替弁２９の冷蔵冷媒流路側の出口を閉塞したり、圧縮機２０を停止又は運転周波数を低減したりすることで、冷蔵蒸発器１０への冷媒供給を停止又は低減しつつ、冷蔵ファン１１を駆動する。
【００５４】
これらの制御の結果、冷蔵蒸発器空間Ｓｒ内に導入された冷蔵空間内の空気が、霜の付着した冷蔵蒸発器１０と熱交換した後、再び冷蔵室３及び野菜室４に戻される。これにより、冷蔵蒸発器１０の温度を上昇させて冷蔵蒸発器１０に付着した霜を融解するとともに、融解した霜の水分を気化して冷蔵蒸発器空間Ｓｒ内の空気とともに冷蔵室３及び野菜室４へ送風することで、冷蔵室３及び野菜室４を加湿する。
【００５５】
なお、第１除霜運転における冷蔵ファン１１の回転数は、冷蔵冷却運転における冷蔵ファン１１より低速に設定することが好ましい。
【００５６】
（５−２）第２除霜運転
第２除霜運転は、冷凍蒸発器１５に付着した霜を融解により除去する運転である。具体的には、制御部２３が、切替弁２９の冷凍冷媒流路側の出口を閉塞したり、圧縮機２０を停止したりすることで、冷凍蒸発器１５への冷媒供給を停止しつつ、冷凍ファン１６を停止し、除霜ヒータ１８を通電状態とする。これらの制御により、除霜ヒータ１８による輻射熱で冷凍蒸発器１５が加熱され、冷凍蒸発器１５に付着した霜を融解する。
【００５７】
（６）第１除霜開始条件及び第２除霜開始条件
冷蔵庫１は、第１除霜運転及び第２除霜運転を開始する条件として、第１除霜開始条件と第２除霜開始条件とを備えている。
【００５８】
第１除霜開始条件の一例を挙げると、例えば、（１）冷蔵蒸発器温度センサ３６の検出温度Ｔｓが所定温度（例えば、ー１０℃）以下である時間の積算時間が所定時間（例えば、１８０分間）以上に達した時、（２）扉センサ９が検出した冷蔵室扉３ａの開閉回数が所定回数（例えば、５０回）以上に達した時、（３）扉センサ９が検出した冷蔵室扉３ａの開放時間の積算時間が所定時間（例えば、２分間）以上に達した時、のいずれかの場合がある。
【００５９】
第２除霜開始条件の一例を挙げると、例えば、（１）冷蔵冷却運転及び冷凍冷却運転を実行した時間の積算値が所定時間（例えば、８時間）に達した時、（２）前回の第２除霜運転を実行してからの経過時間が所定時間（例えば、２４時間）に達した時、のいずれかの場合がある。
【００６０】
制御部２３は、第１除霜開始条件を満たした場合も、第２除霜開始条件を満たした場合も、第１除霜運転及び第２除霜運転を同時に開始して、冷蔵蒸発器１０及び冷凍蒸発器１５の除霜を実行する（図４のｔ１）。
【００６１】
（７）第２除霜運転の終了
制御部２３は、第２除霜終了条件を満たすと、除霜ヒータ１８への通電を停止して第２除霜運転を終了する。
【００６２】
第２除霜終了条件の一例を挙げると、冷凍蒸発器温度センサ３７で検出される冷凍蒸発器１５の温度Ｔｇが所定温度Ｔｇ１（例えば、Ｔｇ１＝１０℃）に達した時などが挙げられる。
【００６３】
なお、本実施形態では、第１除霜開始条件及び第２除霜開始条件のいずれの条件を満たして第２除霜運転を開始した場合であっても、同じ条件に基づいて第２除霜運転を終了する。
【００６４】
（８）第１除霜運転の終了
制御部２３は、所定の除霜終了条件を満たすと第１除霜運転を終了するが、第１除霜開始条件を満たして第１除霜運転を開始した場合と、第２除霜開始条件を満たして第１除霜運転を開始した場合とで、第１除霜運転を終了する除霜終了条件が異なる。
【００６５】
（８−１）第１除霜開始条件を満たして第１除霜運転を開始した場合
第１除霜開始条件を満たして第１除霜運転を開始した場合、制御部２３は、少なくとも第２除霜運転が終了するまで第１除霜運転を実施し、その後、第１除霜終了条件を満たしたか否か判断し、第１除霜終了条件を満たすと第１除霜運転を終了する。
【００６６】
つまり、図５に示すように、第１除霜開始条件を満たして第１除霜運転及び第２除霜運転を開始すると（ステップＳ１）、制御部２３は第２除霜終了条件を満たしたか否か判定する（ステップＳ２）。ステップＳ２において、第２除霜終了条件を満たしていない場合は、ステップＳ２に戻って第２除霜運転を継続し、第２除霜終了条件を満たしていると、ステップＳ３へ進んで、除霜ヒータ１８への通電を停止して第２除霜運転を終了する。なお、ステップＳ２及びＳ３の間、制御部２３は第１除霜運転を実行している。
【００６７】
そして、第２除霜運転が終了すると、制御部２３は、第１除霜終了条件を満たしたか否か判定し（ステップＳ４）、第１除霜終了条件を満たしていない場合は第１除霜運転を継続し、第１除霜終了条件を満たしていると、ステップＳ５へ進んで、冷蔵ファン１１の回転を停止して第１除霜運転を終了する。
【００６８】
第１除霜終了条件の一例を挙げると、冷蔵蒸発器温度センサ３６で検出される冷蔵蒸発器１０の温度が所定温度Ｔｓ１（例えば、Ｔｓ１＝３℃）に達した時などが挙げられる。
【００６９】
（８−２）第２除霜開始条件を満たして第１除霜運転を開始した場合
第２除霜開始条件を満たして第１除霜運転を開始した場合、制御部２３は、第１除霜運転を終了する条件として、冷却優先条件と除霜優先条件とを交互に切り替えて採用する。
【００７０】
（８−２−１）冷却優先条件
冷却優先条件では、第１除霜終了条件を満たし冷蔵蒸発器１０の除霜の必要性が無くなった場合、及び冷蔵冷却開始条件を満たし冷蔵空間の冷却が必要になった場合のいずれか一方の場合に、第１除霜運転を終了する。
【００７１】
すなわち、図６に示すように、第２除霜開始条件を満たして第１除霜運転及び第２除霜運転を開始すると（ステップＳ１１）、制御部２３は冷蔵冷却開始条件を満たしたか否か判定する（ステップＳ１２）。ステップＳ１２において、冷蔵冷却開始条件を満たした場合は、制御部２３は第１除霜運転を終了し（ステップＳ１３）、その後、冷蔵冷却運転を開始する。つまり、第１除霜終了条件を満たす前に冷蔵冷却開始条件を満たすと、制御部２３は、冷蔵ファン１１を回転させたままで、圧縮機２０を起動して所定周波数で駆動しつつ、切替弁２９の冷蔵冷媒流路側の出口を開放して冷蔵蒸発器１０に冷媒を流すことで、冷蔵室３及び野菜室４を冷却する。
【００７２】
また、ステップＳ１２において冷蔵冷却開始条件を満たしていない場合は、ステップＳ１４へ進んで第１除霜終了条件を満たしたか否か判定する。ステップＳ１４において、第１除霜終了条件を満たしていない場合はステップＳ１２に戻り、第１除霜終了条件を満たしている場合は冷蔵ファン１１の回転を停止して第１除霜運転を終了する（ステップＳ１３）。
【００７３】
（８−２−２）除霜優先条件
除霜優先条件では、第１除霜運転の実行中に冷蔵冷却開始条件を満たしたかどうかに関わらず、第１除霜終了条件を満たすまで第１除霜運転を継続して実行し、第１除霜終了条件を満たすと第１除霜運転を終了する。つまり、第１除霜運転の実行中に冷蔵冷却開始条件を満たし冷蔵空間の冷却が必要になっても、直ちに第１除霜運転を終了させて冷蔵冷却運転を開始せず、第１除霜終了条件を満たすまで第１除霜運転を継続して実行する。なお、除霜優先条件では、第２除霜運転の状態（第２除霜運転の実行中や停止中）に関わらず、第１除霜終了条件を満たすと第１除霜運転を終了する。
【００７４】
図４に示す除霜運転は、冷蔵庫１が実行する除霜運転の一例を示しており、第２除霜開始条件を満たして第１除霜運転及び第２除霜運転を同時に開始し、その後、除霜優先条件を満たして第１除霜運転を終了する場合を示す（図４のｔ１〜ｔ４）。
【００７５】
つまり、まず、第２除霜開始条件を満たして第１除霜運転及び第２除霜運転を同時に開始して冷蔵蒸発器１０及び冷凍蒸発器１５の除霜を実行する（図４のｔ１）。その後、図４のｔ２において、冷蔵温度センサ２４の検出温度がＯＮ温度Ｔｒ１以上となり冷蔵冷却開始条件を満たしたが第１除霜終了条件（除霜優先条件）を満たしていないため、制御部２３は第１除霜運転を継続する。その後、冷蔵蒸発器温度センサ３６で検出される冷蔵蒸発器１０の温度が所定温度Ｔｓ１に達すると、第１除霜終了条件（除霜優先条件）を満たしたとして第１除霜運転を終了する（図４のｔ３）。その後、冷凍蒸発器温度センサ３７で検出される冷凍蒸発器１５の温度が所定温度Ｔｇ１に達すると、第２除霜終了条件を満たしたとして、第２除霜運転を終了する（図４のｔ４）。
【００７６】
（９）第１除霜運転及び第２除霜運転の終了後の制御
第１除霜開始条件又は第２除霜開始条件を満たして第１除霜運転及び第２除霜運転を開始した後、第１除霜運転及び第２除霜運転の両運転が終了すると、制御部２３は、図４に示すように、除霜復帰運転及び残氷判定運転を順次行う（図４のｔ４〜ｔ７）。
【００７７】
第１除霜運転及び第２除霜運転の実行中、冷蔵空間及び冷凍空間が冷却されておらず各空間の温度が上昇している。そこで、第１除霜運転及び第２除霜運転が終了すると、制御部２３は、冷凍冷却運転（図４のｔ４〜ｔ５）及び冷蔵冷却運転（図４のｔ５〜ｔ６）を順次行う除霜復帰運転を実行し、冷蔵空間及び冷凍空間をそれぞれ所定の温度帯へ冷却する。
【００７８】
なお、除霜復帰運転における冷凍冷却運転時及び冷蔵冷却運転は、通常の冷凍冷却運転時及び冷蔵冷却運転に比べて、圧縮機２０の運転周波数を大きく設定したり、冷凍ファン１６や冷蔵ファン１１の回転数を大きく設定して、冷凍空間及び冷蔵空間を急速に冷却してもよい。
【００７９】
除霜復帰運転が終了すると、制御部２３は、残氷判定運転を実行する（図４のｔ６〜ｔ７）。具体的には、制御部２３は、除霜復帰運転の終了後に冷凍冷却運転を開始し、冷凍冷却終了条件が満たされるまで冷凍冷却運転を実行する。そして、制御部２３は、残氷判定運転を開始してから冷凍冷却終了条件が満たされ冷凍冷却運転を終了するまでの時間（冷凍冷却運転の実行時間）ｍを測定する。冷凍蒸発器１５で発生した冷熱の影響を受けて冷蔵蒸発器１０が冷却されることがあるため、制御部２３は、残氷判定運転において測定された冷凍冷却運転の実行時間ｍが所定時間より長い場合、冷蔵蒸発器１０に着霜が発生しやすい状況にあると判断する。
【００８０】
そして、残氷判定運転が終了すると、制御部２３は、冷媒回収運転を実行した後、冷蔵冷却運転、冷凍冷却運転、冷媒回収運転を順次実行することで、冷蔵空間及び冷凍空間冷却と、冷蔵蒸発器１０及び冷凍蒸発器１５の除霜を行う。
【００８１】
（１０）効果
以上のような本実施形態の冷蔵庫１では、冷蔵蒸発器１０に付着した霜を融解する第１除霜運転を開始する第１除霜開始条件として、冷蔵蒸発器温度センサ３６の検出温度が所定温度以下である時間の積算時間が所定時間以上になることを採用しているため、冷蔵蒸発器１０に累積した着霜量を推定することができ、冷蔵蒸発器１０に付着した霜の量に応じた適切なタイミングで第１除霜運転を開始することができる。
【００８２】
また、本実施形態の冷蔵庫１では、冷蔵蒸発器１０に付着した霜を融解する第１除霜運転を開始する第１除霜開始条件として、扉センサ９が検出した冷蔵室扉３ａの開閉回数が所定回数以上になることや、扉センサ９が検出した冷蔵室扉３ａの開放時間の積算時間が所定時間以上になることを採用しているため、冷蔵室３内へ進入した庫外空気量を推定することができ、冷蔵蒸発器１０に付着した霜の量に応じた適切なタイミングで第１除霜運転を開始することができる。
【００８３】
また、本実施形態の冷蔵庫１では、第１除霜開始条件を満たすと、圧縮機２０を停止して冷蔵蒸発器１０への冷媒供給を停止しつつ、冷蔵ファン１１を駆動するため、冷蔵蒸発器１０を除霜することができるとともに、融解した霜の水分を冷蔵空間へ供給することで、冷蔵空間を加湿することができる。
【００８４】
また、本実施形態では、第１除霜開始条件を満たして第１除霜運転を開始した場合と、第１除霜開始条件と異なる条件からなる第２除霜開始条件を満たして第１除霜運転を開始した場合とで、第１除霜運転を終了する条件が異なるため、冷蔵蒸発器１０の着霜状態に応じて第１除霜運転の実行時間を決定することができ、冷蔵空間や冷凍空間の冷却運転と第１除霜運転とをバランスよく実行して冷蔵庫の性能を向上することができる。
【００８５】
また、本実施形態では、第１除霜開始条件を満たすと、除霜ヒータ１８を通電して冷凍蒸発器１５に付着した霜を融解する第２除霜運転と、冷蔵ファン１１を駆動して冷蔵蒸発器１０に付着した霜を融解する第１除霜運転とを実行する。このように第２除霜運転の実行中に第１除霜運転を実行することで、第２除霜運転により生じる除霜ヒータ１８の熱の影響を受けて冷蔵蒸発器１０が除霜されやすくなり、第１除霜運転の実行時間を短縮することができる。
【００８６】
（第１実施形態の変更例）
上記した第１実施形態では、第１除霜開始条件が、冷蔵蒸発器１０を除霜する第１除霜運転を開始する条件である場合について説明したが、製氷室５、小冷凍室及び主冷凍室６などの冷凍空間を冷却する冷凍蒸発器１５を除霜する第２除霜運転を開始する条件であってもよい。つまり、冷凍蒸発器温度センサ３７の検出温度が所定温度以下である時間の積算時間が所定時間以上になる、主冷凍室６の扉６ａの開閉を検出する扉センサが検出した扉６ａの開閉回数が所定回数以上になる、または当該扉センサが検出した扉６ａの開放時間の積算時間が所定時間以上になる、と冷凍蒸発器１５を除霜する第２除霜運転を開始してもよい。
【００８７】
また、上記した第１実施形態では、第１除霜開始条件を満たすと、冷蔵蒸発器１０への冷媒供給を停止しつつ冷蔵ファン１１を駆動して冷蔵蒸発器１０を除霜する場合について説明したが、冷蔵蒸発器１０近傍に設けた除霜ヒータの通電のより冷蔵蒸発器１０を除霜してもよい。
【００８８】
また、上記した第１実施形態では、冷蔵空間と冷凍空間とをそれぞれ別個の蒸発器１０，１５によって冷却する冷蔵庫について説明したが、１つの蒸発器で冷蔵空間と冷凍空間を冷却する冷蔵庫における蒸発器の除霜を開始する条件として、上記した第１除霜開始条件を採用してもよい。
【００８９】
また、上記した第１実施形態では、第１除霜開始条件を満たすと、第１除霜運転とともに第２除霜運転を開始する場合について説明したが、第２除霜運転を開始することなく、第１除霜運転のみを開始してもよい。
【００９０】
また、上記した第１実施形態では、第２除霜開始条件を満たして第１除霜運転を開始すると、第１除霜運転を終了する条件として冷却優先条件と除霜優先条件とを交互に切り換えて採用する場合について説明したが、採用する条件を切り換えるタイミングは、特に限定されない。例えば、冷却優先条件及び除霜優先条件の一方の条件を複数回採用する毎に他方の条件を１回採用するように条件を切り換えるなど、任意のタイミングで冷却優先条件と除霜優先条件を切り換えて採用することができる。
【００９１】
また、所定の判定条件を満たしている間、所定の判定条件を満たしていない通常時と異なる条件で第１除霜運転を終了させてもよい。
【００９２】
例えば、所定の判定条件を満たしていない通常時であれば除霜優先条件から冷却優先条件へ切り換えるタイミングであっても、低温モードの設定中では除霜優先条件を維持してもよい。また、所定の判定条件を満たしていない通常時には、第１除霜運転を終了する条件として、冷却優先条件と除霜優先条件を交互に切り換えて採用し、所定の判定条件を満たしている間は、第１除霜運転を終了する条件として、冷却優先条件及び除霜優先条件のいずれか一方のみを採用したり、いずれか一方の条件を他方の条件より多く採用したりしてもよい。つまり、所定の判定条件を満たしている間、所定の判定条件を満たしていない通常時に比べて、冷却優先条件及び除霜優先条件のいずれか一方の条件を採用する割合が多くなるように条件を採用してもよい。
【００９３】
このような判定条件の一例を挙げると、通常の冷蔵冷却運転に代えて低温冷却運転を実施する低温モードを設定した場合や、外気温センサ８が検出する冷蔵庫１の周囲の外気温が所定温度以上である場合や、残氷判定運転において測定された冷凍冷却運転の実行時間ｍが所定時間より長い場合がある。これらの場合には、第２除霜開始条件を満たして開始した第１除霜運転を終了する条件として、冷却優先条件と除霜優先条件とを切り替えて採用することなく除霜優先条件のみを採用したり、通常時に比べて除霜優先条件を採用する割合が多くなるように条件を採用してもよい。
【００９４】
また、上記した判定条件を判断するタイミングは、任意タイミングで行うことができる。例えば、第１除霜運転及び第２除霜運転の両運転が終了した時や、残氷判定運転中などに、上記した判定条件を満たしているか否か判断してもよい。
【００９５】
（第２実施形態）
第２実施形態について、主に図７に基づいて第１実施形態と異なる部分を中心に説明する。なお、第１実施形態と同一の構成のものについては、同一の符号を付し、詳細な説明を省略する。
【００９６】
上記の第１実施形態では、冷蔵冷却運転、冷凍冷却運転及び冷媒回収運転を切り替えて順次実行する中で、第１除霜開始条件と第２除霜開始条件を満たすと、実行中の運転が完了して次の運転へ切り替える前に制御部２３が第１除霜運転と第２除霜運転を実行する場合について説明した。本実施形態では、第１実施形態のような第１除霜開始条件や第２除霜開始条件を満たして第１除霜運転と第２除霜運転を実行する場合に加え、冷凍冷却運転の実行中に第１除霜運転を実行する。
【００９７】
（１）冷凍冷却運転中に実行する第１除霜運転
冷蔵庫１において、冷蔵冷却運転、冷凍冷却運転及び冷媒回収運転を切り替えて順次実行する中で、冷蔵冷却運転を終了して冷凍冷却運転を開始すると、制御部２３は、第１除霜運転を開始する。冷凍冷却運転の実行中、切替弁２９の冷凍冷媒流路側の出口が開放され、冷蔵冷媒流路側の出口が閉塞されているため、制御部２３は、冷凍冷却運転を開始すると冷蔵ファン１１を回転駆動することで、冷凍冷却運転とともに第１除霜運転を実行する。
【００９８】
これらの制御の結果、冷凍空間を冷却しながら、冷蔵蒸発器１０に付着した霜の融解と、融解した霜の水分による冷蔵空間の加湿を行う。
【００９９】
（２）冷凍冷却運転中に実行する第１除霜運転の終了条件
制御部２３は、冷凍冷却運転中に実行する第１除霜運転を終了する条件として、冷却優先条件と除霜優先条件とを切り替えて採用する。
【０１００】
冷却優先条件及び除霜優先条件は、上記の第１実施形態における冷却優先条件及び除霜優先条件と同様の条件である。
【０１０１】
つまり、冷凍冷却運転中に実行する第１除霜運転を終了する条件として冷却優先条件を選択した場合、制御部２３は、第１除霜終了条件及び冷蔵冷却開始条件のいずれか一方を満たすと第１除霜運転を終了する。
【０１０２】
一方、冷凍冷却運転中に実行する第１除霜運転を終了する条件として除霜優先条件を選択した場合、制御部２３は、第１除霜運転の実行中に冷蔵冷却開始条件を満たしたかどうかに関わらず、第１除霜終了条件を満たすまで第１除霜運転を継続して実行し、第１除霜終了条件を満たすと、制御部２３は第１除霜運転を終了する。
【０１０３】
冷却優先条件と除霜優先条件を切り換えるタイミングは、特に制限はなく、任意のタイミングで冷却優先条件と除霜優先条件を切り換えて採用することができる。
【０１０４】
（３）冷凍冷却運転中に実行する第１除霜運転の制御方法
次に、冷凍冷却運転中に実行する第１除霜運転の具体的な制御方法の一例を図７のタイムチャートを参照して説明する。
【０１０５】
この例では、ある冷蔵冷却運転の開始時（図７のｔ０）から残氷判定運転の終了時（図７のｔ１２）までの間、除霜優先条件に基づいて第１除霜運転の終了を判断し、残氷判定運転の終了後に第１除霜運転を終了する条件を除霜優先条件から冷却優先条件に切り換え、残氷判定運転終了後から次の残氷判定運転が終了するまで冷却優先条件に基づいて第１除霜運転の終了を判断する場合について説明する。
【０１０６】
まず、冷蔵冷却運転の開始した後、冷蔵冷却終了条件を満たすと、制御部２３は、冷蔵冷却運転を終了して冷凍冷却運転を開始するとともに、第１除霜運転を開始する（図７のｔ１）。
【０１０７】
そして、第１除霜運転の開始後、制御部２３は、除霜優先条件を満たすまで、つまり、第１除霜終了条件を満たすまで第１除霜運転を継続して実行する。そのため、冷凍冷却運転中に冷蔵温度センサ２４の検出温度が冷蔵空間に対して設定されているＯＮ温度Ｔｒ１以上に達し、冷蔵冷却開始条件を満たしても、制御部２３は、冷凍冷却運転を終了して冷媒回収運転及び冷蔵冷却運転へ移行することなく第１除霜運転を継続する（図７のｔ２）。
【０１０８】
なお、この時、冷凍冷却運転は、所定の冷凍冷却終了条件（例えば、冷凍温度センサ２６の検出温度が冷凍空間に対して設定されているＯＦＦ温度Ｔｆ２に達した時や、冷凍運転を開始してから最長冷却時間以上が経過した時など）を満たすまで継続してもよい。
【０１０９】
そして、第１除霜終了条件を満たすと、制御部２３は、第１除霜運転を終了し（図７のｔ３）、その後、冷媒回収運転（図７のｔ３〜ｔ４）及び冷蔵冷却運転（図７のｔ４〜ｔ５）を実行する。そして、冷蔵冷却終了条件が満たされると、制御部２３は、冷蔵冷却運転を終了して再び冷凍冷却運転を開始するととに、第１除霜運転を開始する（図７のｔ５）。
【０１１０】
そして、冷凍冷却運転の実行中に第１除霜開始条件又は第２除霜開始条件を満たすと、制御部２３は、冷凍冷却運転の終了後に第１除霜運転及び第２除霜運転を開始する（図７のｔ６）。
【０１１１】
図７は、第２除霜開始条件を満たして第１除霜運転及び第２除霜運転を同時に開始した場合を示す。第２除霜開始条件を満たして第１除霜運転を開始した場合、制御部２３は、第１除霜運転を終了する条件として、冷却優先条件と除霜優先条件を切り換えて採用するが、その際、残氷判定の終了後に採用した条件（ここでは、除霜優先条件）に基づいて第１除霜運転の終了を判断する。
【０１１２】
つまり、制御部２３は、冷蔵蒸発器温度センサ３６で検出される冷蔵蒸発器１０の温度が所定温度Ｔｓ１に達すると、除霜優先条件（第１除霜終了条件）を満たしたとして、第２除霜運転を継続したままで第１除霜運転を終了する（図７のｔ７）。その後、冷凍蒸発器温度センサ３７で検出される冷凍蒸発器１５の温度が所定温度Ｔｇ１に達すると、第２除霜終了条件を満たしたとして、制御部２３は、第２除霜運転を終了する（図７のｔ８）。
【０１１３】
そして、第１除霜運転及び第２除霜運転が終了すると、制御部２３は、除霜復帰運転及び残氷判定運転を順次行う（図７のｔ８〜ｔ１２）。
【０１１４】
除霜復帰運転では、冷凍冷却運転を実行するが（図７のｔ８〜ｔ９）、この時、第１除霜運転を実行してから冷蔵冷却運転を一度も実行していない。そのため、制御部２３は、除霜復帰運転において実行する冷凍冷却運転では第１除霜運転を実行しない。
【０１１５】
除霜復帰運転が終了すると、制御部２３は、残氷判定運転において冷凍冷却運転とともに第１除霜運転を開始し（図７のｔ１０）、その後、除霜優先条件を満たすと第１除霜運転を終了し（図７のｔ１１）、冷凍冷却終了条件を満たすと残氷判定運転（冷凍冷却運転）を終了する（図７のｔ１２）。
【０１１６】
そして、残氷判定運転が終了すると、制御部２３は、第１除霜運転を終了する条件を除霜優先条件から冷却優先条件に切り換え、その後、冷媒回収運転、冷蔵冷却運転及び冷凍冷却運転を繰り返して実行する（図７のｔ１２〜ｔ２１）。その際、制御部２３は、冷凍冷却運転とともに第１除霜運転を実行する（図７のｔ１４〜ｔ１５，ｔ１８〜ｔ１９）。
【０１１７】
図７に示す場合、残氷判定運転後に行う最初の冷凍冷却運転（図７のｔ１４〜ｔ１６）では、冷凍冷却終了条件を満たす前に第１除霜終了条件を満たしたため（つまり、冷却優先条件を満たしたため）、制御部２３は、冷凍冷却運転を継続しつつ第１除霜運転を終了し（図７のｔ１５）、その後、冷凍冷却終了条件を満たすと冷凍冷却運転を終了する（図７のｔ１６）。
【０１１８】
また、その後に実行される冷凍冷却運転（図７のｔ１８〜ｔ１９）では、第１除霜終了条件を満たす前に冷蔵冷却開始条件を満たしたため（つまり、冷却優先条件を満たしたため）、制御部２３は、冷蔵冷却運転を開始するために冷凍冷却運転を終了するとともに、第１除霜運転を終了する（図７のｔ１９）。
【０１１９】
そして、冷蔵冷却運転、冷凍冷却運転及び冷媒回収運転を切り替えて順次実行する中で、再び、第１除霜開始条件又は第２除霜開始条件を満たすと、制御部２３は、第１除霜運転及び第２除霜運転の実行、除霜復帰運転及び残氷判定運転を順次行い、残氷判定運転の終了後、第１除霜運転を終了する条件を冷却優先条件から除霜優先条件に切り換える。
【０１２０】
以後、制御部２３は、上記のように各種運転を繰り返し実行することで、冷蔵空間及び冷凍空間の冷却と、冷蔵蒸発器１０及び冷凍蒸発器１５の除霜を行う。
【０１２１】
（４）効果
本実施形態では、冷凍冷却運転の実行中に第１除霜運転を実行するため、冷蔵蒸発器１０を除霜するために冷蔵庫１の冷却運転を停止させる必要がなくなる、あるいは、冷却運転を停止させる時間が短くなくなり、冷蔵庫内を効率よく冷却することができる。
【０１２２】
また、本実施形態では、冷凍冷却運転の実行中に行う第１除霜運転が、冷蔵蒸発器１０への冷媒供給を停止しつつ冷蔵ファン１１を駆動して行われるため、冷蔵蒸発器１０を除霜することができるとともに、融解した霜の水分を冷蔵空間へ供給することで、冷蔵空間を加湿することができる。
【０１２３】
しかも、本実施形態では、冷凍冷却運転が行われる毎に第１除霜運転を行い、前回の第1除霜運転から今回の第１除霜運転を実行するまでの時間が比較的短いため、冷蔵空間を頻繁に加湿することができ、冷蔵空間内を所定の湿度雰囲気に保ちやすくなる。
【０１２４】
また、本実施形態では、冷凍冷却運転の実行中に行う第１除霜運転を終了する条件として、冷却優先条件と除霜優先条件とを切り替えて採用するため、冷蔵冷却運転より冷蔵蒸発器１０の除霜を優先させたり、冷蔵蒸発器１０の除霜より冷蔵冷却運転を優先させることができ、冷蔵庫の使用状況や設置環境に合わせて効率的に冷蔵庫を制御することができる。
【０１２５】
（第２実施形態の変更例）
上記した第２実施形態では、第１除霜開始条件を満たすと、冷蔵蒸発器１０への冷媒供給を停止しつつ冷蔵ファン１１を駆動して冷蔵蒸発器１０を除霜する場合について説明したが、冷蔵蒸発器１０の近傍に設けた除霜ヒータの通電のより冷蔵蒸発器１０を除霜してもよい。
【０１２６】
また、上記した第２実施形態では、第１除霜運転を終了する条件として、残氷判定運転後に除霜優先条件及び冷却優先条件を交互に切り換えて採用する場合について説明したが、所定の判定条件を満たしている間、所定の判定条件を満たしていない通常時と異なる条件で第１除霜運転を終了させてもよい。
【０１２７】
例えば、所定の判定条件を満たしていない通常時であれば除霜優先条件から冷却優先条件へ切り換えるタイミングであっても、低温モードの設定中では除霜優先条件を維持してもよい。また、所定の判定条件を満たしていない通常時には、第１除霜運転を終了する条件として、冷却優先条件と除霜優先条件を交互に切り換えて採用し、所定の判定条件を満たしている間は、第１除霜運転を終了する条件として、冷却優先条件及び除霜優先条件のいずれか一方のみを採用したり、いずれか一方の条件を他方の条件より多く採用したりしてもよい。つまり、所定の判定条件を満たしている間、所定の判定条件を満たしていない時に比べて、冷却優先条件及び除霜優先条件のいずれか一方の条件を採用する割合が多くなるように条件を採用してもよい。
【０１２８】
上記した所定の判定条件の一例を挙げると、（ａ）通常の冷蔵冷却運転に代えて低温冷却運転を実施する低温モードを設定した場合や、（ｂ）外気温センサ８が検出する冷蔵庫１の周囲の外気温が所定温度以上である場合や、（ｃ）残氷判定運転において測定された冷凍冷却運転の実行時間ｍが所定時間より長い場合がある。（ａ）〜（ｃ）の場合、第１除霜運転を終了する条件として、冷却優先条件と除霜優先条件とを切り替えて採用することなく、除霜優先条件のみを採用したり、あるいは、除霜優先条件を複数回採用する毎に冷却優先条件を１回採用するなど、冷却優先条件より除霜優先条件を多く採用してもよい。
【０１２９】
上記（ａ）〜（ｃ）の場合に除霜優先条件のみを採用したり、あるいは、冷却優先条件より除霜優先条件を多く採用することで、冷蔵蒸発器１０に着霜しやすい冷蔵庫の使用状況や設置環境においても冷蔵冷却運転と第１除霜運転とを効率的に実行することができる。
【０１３０】
また、本実施形態では、残氷判定運転が終了する時に冷却優先条件と除霜優先条件を切り換える場合について説明したが、第１除霜運転を終了する条件に採用する条件を切り換えるタイミングは、特に限定されず任意のタイミングで冷却優先条件と除霜優先条件を切り換えて採用することができる。
【０１３１】
また、本実施形態では、冷凍冷却運転時に第１除霜運転を行う場合について説明したが、冷蔵蒸発器１０に冷媒が供給されていない時であれば任意のタイミングで第１除霜運転を実行することができる。
【０１３２】
（その他の変更例）
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【０１３３】
１…冷蔵庫、２…冷蔵庫本体、２ａ…外箱、２ｂ…内箱、２ｃ…断熱材、３…冷蔵室、３ａ…冷蔵室扉、３ｂ…棚板、３ｃ…チルド室、４…野菜室、５…製氷室、６…主冷凍室、７…操作表示部、８…外気温センサ、９…扉センサ、１０…冷蔵蒸発器、１１…冷蔵ファン、１４…送風機カバー、１５…冷凍蒸発器、１８…除霜ヒータ、２０…圧縮機、２１…凝縮器、２３…制御部、２４…冷蔵温度センサ、２６…冷凍温度センサ、２８…放熱パイプ、２９…切替弁、３６…冷蔵蒸発器温度センサ、３７…冷凍蒸発器温度センサ、Ｓｒ…冷蔵蒸発器空間、Ｓｆ…冷凍蒸発器空間
【図１】
2020122607.tif 000003
【図２】
2020122607.tif 000004
【図３】
2020122607.tif 000005
【図４】
2020122607.tif 000006
【図５】
2020122607.tif 000007
【図６】
2020122607.tif 000008
【図７】
2020122607.tif 000009